【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
イントラ予測モードに関する情報を復号して、ブロック単位で輝度信号と色差信号とを含む画像信号をイントラ予測復号する画像復号装置であって、
イントラ輝度予測モードの値を導出するイントラ輝度予測モード導出手段と、
色差フォーマットが４：２：２である場合、前記イントラ輝度予測モード導出手段が導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ予測モード導出と
を備えることを特徴とする画像復号装置。
【請求項２】
前記変換テーブルには、参照先が水平方向に並んでいる複数のイントラ輝度予測モードの予測方向を水平方向に２分の１倍にスケーリングすることにより導出した複数の方向それぞれに最も近い予測方向の複数のイントラ色差予測モードを表す値が少なくとも示されている、
ことを特徴とする請求項１記載の画像復号装置。
【請求項３】
イントラ予測モードに関する情報を復号して、ブロック単位で輝度信号と色差信号とを含む画像信号をイントラ予測復号する画像復号方法であって、
イントラ輝度予測モードの値を導出するイントラ輝度予測モード導出ステップと、
色差フォーマットが４：２：２である場合、前記イントラ輝度予測モード導出ステップにて導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ色差予測モード導出ステップと
を有することを特徴とする画像復号方法。
【請求項４】
コンピュータに、イントラ予測モードに関する情報を復号させて、ブロック単位で輝度信号と色差信号とを含む画像信号をイントラ予測復号させる画像復号プログラムであって、
イントラ輝度予測モードの値を導出するイントラ輝度予測モード導出ステップと、
色差フォーマットが４：２：２である場合、前記イントラ輝度予測モード導出ステップにて導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ色差予測モード導出ステップと
をコンピュータに実行させることを特徴とする画像復号プログラム。
【請求項５】
符号化ストリームから、イントラ予測モードに関する情報を復号して、ブロック単位で輝度信号と色差信号とを含む画像信号をイントラ予測復号する受信装置であって、
動画像が符号化された符号化データを受信する受信部と、
前記符号化データをパケット処理して前記符号化ストリームを生成するパケット処理部と、
前記符号化ストリームからイントラ輝度予測モードの値を導出するイントラ輝度予測モード導出手段と、
色差フォーマットが４：２：２である場合、前記イントラ輝度予測モード導出手段が導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ色差予測モード導出手段と
を備えることを特徴とする受信装置。
【請求項６】
符号化ストリームから、イントラ予測モードに関する情報を復号して、ブロック単位で輝度信号と色差信号とを含む画像信号をイントラ予測復号する受信方法であって、
動画像が符号化された符号化データを受信する受信ステップと、
前記符号化データをパケット処理して前記符号化ストリームを生成するパケット処理ステップと、
前記符号化ストリームからイントラ輝度予測モードの値を導出するイントラ輝度予測モード導出ステップと、
色差フォーマットが４：２：２である場合、前記イントラ輝度予測モード導出ステップにて導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ色差予測モード導出ステップと
を備えることを特徴とする受信方法。
【請求項７】
コンピュータに、符号化ストリームから、イントラ予測モードに関する情報を復号させ、ブロック単位で輝度信号と色差信号とを含む画像信号をイントラ予測復号させる受信プログラムであって、
動画像が符号化された符号化データを受信する受信ステップと、
前記符号化データをパケット処理して前記符号化ストリームを生成するパケット処理ステップと、
前記符号化ストリームからイントラ輝度予測モードの値を導出するイントラ輝度予測モード導出ステップと、
色差フォーマットが４：２：２である場合、前記イントラ輝度予測モード導出ステップにて導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ色差予測モード導出ステップと
をコンピュータに実行させることを特徴とする受信プログラム。
【手続補正２】
【補正対象書類名】明細書
【補正対象項目名】発明の名称
【補正方法】変更
【補正の内容】
【発明の名称】画像復号装置、画像復号方法及び画像復号プログラム、並びに、受信装置、受信方法及び受信プログラム
【手続補正３】
【補正対象書類名】明細書
【補正対象項目名】００１７
【補正方法】変更
【補正の内容】
【００１７】
イントラ予測モードに関する情報を復号して、ブロック単位で輝度信号と色差信号とを含む画像信号をイントラ予測復号する画像復号装置であって、イントラ輝度予測モードの値を導出するイントラ輝度予測モード導出手段と、色差フォーマットが４：２：２である場合、前記イントラ輝度予測モード導出手段が導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ予測モード導出とを備えることを特徴とする画像復号装置を提供する。
また、イントラ予測モードに関する情報を復号して、ブロック単位で輝度信号と色差信号とを含む画像信号をイントラ予測復号する画像復号方法であって、イントラ輝度予測モードの値を導出するイントラ輝度予測モード導出ステップと、色差フォーマットが４：２：２である場合、前記イントラ輝度予測モード導出ステップにて導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ色差予測モード導出ステップとを有することを特徴とする画像復号方法を提供する。
また、コンピュータに、イントラ予測モードに関する情報を復号させて、ブロック単位で輝度信号と色差信号とを含む画像信号をイントラ予測復号させる画像復号プログラムであって、イントラ輝度予測モードの値を導出するイントラ輝度予測モード導出ステップと、色差フォーマットが４：２：２である場合、前記イントラ輝度予測モード導出ステップにて導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ色差予測モード導出ステップとをコンピュータに実行させることを特徴とする画像復号プログラムを提供する。
また、符号化ストリームから、イントラ予測モードに関する情報を復号して、ブロック単位で輝度信号と色差信号とを含む画像信号をイントラ予測復号する受信装置であって、動画像が符号化された符号化データを受信する受信部と、前記符号化データをパケット処理して前記符号化ストリームを生成するパケット処理部と、前記符号化ストリームからイントラ輝度予測モードの値を導出するイントラ輝度予測モード導出手段と、色差フォーマットが４：２：２である場合、前記イントラ輝度予測モード導出手段が導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ色差予測モード導出手段とを備えることを特徴とする受信装置を提供する。
また、符号化ストリームから、イントラ予測モードに関する情報を復号して、ブロック単位で輝度信号と色差信号とを含む画像信号をイントラ予測復号する受信方法であって、動画像が符号化された符号化データを受信する受信ステップと、前記符号化データをパケット処理して前記符号化ストリームを生成するパケット処理ステップと、前記符号化ストリームからイントラ輝度予測モードの値を導出するイントラ輝度予測モード導出ステップと、色差フォーマットが４：２：２である場合、前記イントラ輝度予測モード導出ステップにて導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ色差予測モード導出ステップとを備えることを特徴とする受信方法を提供する。
また、コンピュータに、符号化ストリームから、イントラ予測モードに関する情報を復号させ、ブロック単位で輝度信号と色差信号とを含む画像信号をイントラ予測復号させる受信プログラムであって、動画像が符号化された符号化データを受信する受信ステップと、前記符号化データをパケット処理して前記符号化ストリームを生成するパケット処理ステップと、前記符号化ストリームからイントラ輝度予測モードの値を導出するイントラ輝度予測モード導出ステップと、色差フォーマットが４：２：２である場合、前記イントラ輝度予測モード導出ステップにて導出した、色差信号の予測ブロックと同じ位置の予測ブロックのイントラ輝度予測モードの値に基づいて、色差フォーマットが４：２：２のイントラ色差予測モードの値を示す変換テーブルからイントラ色差予測モードの値を導出し、色差フォーマットが４：２：２でない場合、前記変換テーブルを用いずに、色差信号の予測ブロックと同じ位置の予測ブロックのイントラ輝度予測モードの値に基づいてイントラ色差予測モードの値を導出するイントラ色差予測モード導出ステップとをコンピュータに実行させることを特徴とする受信プログラムを提供する。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００９３
【補正方法】変更
【補正の内容】
【００９３】
したがって、図１５の変換テーブルでは、図８の点線の矢印に示すように、参照先が水平方向（水平軸上）に並んでいるイントラ輝度予測モードの値が３、１８、１０、１９、４，２０、１１、２１、０、２２、１２，２３，５，２４、１３、２５、６のとき、それらを水平方向に２分の１倍にスケーリングすることにより算出した予測方向に最も近い予測方向のイントラ色差予測モードの値を選択し、イントラ色差予測モードの値をそれぞれ、１９、４、２０、２０、１１、１１、２１、０、０、０、２２、１２、１２、２３、２３、５、２４とする。また、イントラ予測の予測方向を水平方向に２分の１倍にスケーリングすることは、垂直方向に２倍にスケーリングすることと等価である。したがって、イントラ輝度予測モードのそれぞれの予測方向に対して、垂直方向に２倍にスケーリングした予測方向、またはその近傍の予測方向で色差信号のイントラ予測を行うと、色差信号の予測ブロックと同じ位置の予測ブロックの輝度信号のイントラ予測と等価、または等価に近くなる。したがって、図１５の変換テーブルでは、図８に示すように、参照先が垂直方向（垂直軸上）に並んでいるイントラ輝度予測モードの値が２６、１４，２７、７、２８、１５、２９、１、３０、１６、３１、８、３２、１７、３３、９のとき、垂直方向に２倍にスケーリングすることにより算出した予測方向に最も近い予測方向のイントラ色差予測モードの値を選択し、イントラ色差予測モードの値を１０、１８、３、２６、２７、２８、１５、１、１６、３１、３２、３３、９、９、９、９とする。